【手続補正書】
【提出日】平成27年6月19日(2015.6.19)
【手続補正１】
【補正対象書類名】特許請求の範囲
【補正対象項目名】全文
【補正方法】変更
【補正の内容】
【特許請求の範囲】
【請求項１】
第一の有機半導体材料（SOM1）；
該SOM1とは異なる第二の有機半導体材料（SOM2）；
少なくとも1つの溶媒系
を含む、組成物であって、
該SOM1および該SOM2がそれぞれ、（a）少なくとも1つの正孔注入材料（HIM）、
および該正孔注入材料とは異なる少なくとも1つの正孔輸送材料（HTM）、（b）少なくとも1つの第一の正孔輸送材料（HTM1）、および該第一の正孔輸送材料とは異なる少なくとも1つの第二の正孔輸送材料（HTM2）、または、（c）少なくとも1つの発光材料（EM）、および少なくとも1つの電子輸送材料（ETM）からなる群より選択され、かつ
該溶媒系が除去されかつ膜が基板上に形成される場合に、該SOM2が、該基板から離れた該SOM2の表面富化を促進するように官能化されている、組成物。
【請求項２】
前記SOM2が、少なくとも1つのペルフルオロアルキル鎖もしくは少なくとも1つのセミフルオロアルキル鎖またはアリール基で官能化されている、請求項1記載の組成物。
【請求項３】
前記SOM2が、約2,000g/molまたはそれ未満の分子量を有する、請求項1記載の組成物。
【請求項４】
前記SOM2が架橋性材料である、請求項1記載の組成物。
【請求項５】
混合によって前記SOM1および前記SOM2に電荷移動が起きない、請求項1記載の組成物。
【請求項６】
前記溶媒系が、少なくとも2つの異なる溶媒を含み、かつ、該溶媒系が除去されると前記SOM1が前記SOM2より早く沈殿するように該SOM1、該SOM2、および該溶媒系が適合されている、請求項1記載の組成物。
【請求項７】
前記SOM1が正孔注入材料（HIM）であり、かつ、前記SOM2が、該正孔注入材料とは異なる正孔輸送材料（HTM）である、請求項1記載の組成物。
【請求項８】
前記SOM1および前記SOM2がそれぞれ、少なくとも1つの第一の正孔輸送材料（HTM1）、および該第一の正孔輸送材料とは異なる少なくとも1つの第二の正孔輸送材料（HTM2）である、請求項1記載の組成物。
【請求項９】
前記SOM1および前記SOM2がそれぞれ、少なくとも1つの発光材料（EM）および少なくとも1つの電子輸送材料（ETM）である、請求項1記載の組成物。
【請求項１０】
少なくとも1つのベース基板と、少なくとも1つの導電性電極と、任意で、少なくとも1つの有機半導体材料を含む1つまたは複数の層とを備える少なくとも1つの基板を準備する工程；
請求項1記載の液体インク組成物を準備する工程；
該少なくとも1つの電極上に、または任意で、少なくとも1つの有機半導体材料を含む1つまたは複数の層上に、該インク組成物をコーティングする工程；
該電極上にまたは該少なくとも1つの有機半導体材料を含む層上に少なくとも1つの膜を形成するために、該インク組成物を乾燥させる工程
を含む、方法。
【請求項１１】
前記SOM2が、SOM2-SAGにより表される構造を含み、SAGが表面活性基である、請求項10記載の方法。
【請求項１２】
少なくとも1つの溶媒を準備する工程；
第一の有機半導体材料（SOM1）を該溶媒に供給する工程；
任意で、該SOM1とは異なる少なくとも1つのマトリックス材料を該溶媒に供給する工程；
任意で、該SOM1用の少なくとも1つのドーパントを該溶媒に供給する工程であって、該ドーパントが、任意の該マトリックス材料を実質的にドープせず、かつ、該ドーパントがイオン性化合物を含む、工程；ならびに
第二の有機半導体材料（SOM2）が該SOM1および該マトリックス材料とは異なる、該SOM2を該溶媒に供給する工程であって、該SOM2が、SOM2-SAGにより表される構造を有し、SAGが表面活性基または極性基である、工程
を含む、請求項1記載の液体インク組成物を製造する方法。
【請求項１３】
請求項1記載の組成物を用いて作製される、デバイス。
【請求項１４】
少なくとも1つの基板；
該基板上に配置された少なくとも1つの導電性電極；
任意で、該導電性電極上に配置された1つまたは複数の半導体層；
該導電性電極上にまたは任意の該半導体層上に配置された上部境界部および下部境界部を有し、少なくとも1つの第一の有機半導体材料（SOM1）と、該SOM1とは異なる少なくとも1つの第二の有機半導体材料（SOM2）とを含む、有機半導体層
を備え、
該下部境界部が、該導電性電極または該任意の半導体層と少なくとも部分的に接触している境界部であり、かつ、該上部境界部が該下部境界部から最も離れており、かつ、該SOM2が、該下部境界部よりも高い重量パーセントで該上部境界部に存在する、
デバイス。
【請求項１５】
少なくとも1つの基板を準備する工程；
請求項1記載の液体インク組成物を準備する工程；
該基板上に該インク組成物をコーティングする工程；
該基板上に少なくとも1つの膜を形成するために、該インク組成物を乾燥させる工程
を含む、方法。
【手続補正２】
【補正対象書類名】明細書
【補正対象項目名】００２５
【補正方法】変更
【補正の内容】
【００２５】
少なくとも1つの態様の少なくとも1つの追加の利点には、少なくとも2つの有機層に対して溶媒直交性である必要がないことが挙げられる。
[本発明1001]
第一の有機半導体材料（SOM1）；
該SOM1とは異なる第二の有機半導体材料（SOM2）；
少なくとも1つの溶媒系
を含む、組成物であって、
該SOM1および該SOM2がそれぞれ、（a）少なくとも1つの正孔注入材料（HIM）、
および該正孔注入材料とは異なる少なくとも1つの正孔輸送材料（HTM）、（b）少なくとも1つの第一の正孔輸送材料（HTM1）、および該第一の正孔輸送材料とは異なる少なくとも1つの第二の正孔輸送材料（HTM2）、または、（c）少なくとも1つの発光材料（EM）、および少なくとも1つの電子輸送材料（ETM）からなる群より選択され、かつ
該溶媒系が除去されかつ膜が基板上に形成される場合に、該SOM2が、該基板から離れた該SOM2の表面富化を促進するように官能化されている、組成物。
[本発明1002]
前記SOM2が、少なくとも1つのペルフルオロアルキル鎖もしくは少なくとも1つのセミフルオロアルキル鎖またはアリール基で官能化されている、本発明1001の組成物。
[本発明1003]
前記SOM2が、約2,000g/molまたはそれ未満の分子量を有する、本発明1001の組成物。
[本発明1004]
前記SOM2が架橋性材料である、本発明1001の組成物。
[本発明1005]
混合によって前記SOM1および前記SOM2に電荷移動が起きない、本発明1001の組成物。
[本発明1006]
前記溶媒系が、少なくとも2つの異なる溶媒を含み、かつ、該溶媒系が除去されると前記SOM1が前記SOM2より早く沈殿するように該SOM1、該SOM2、および該溶媒系が適合されている、本発明1001の組成物。
[本発明1007]
前記溶媒系が、少なくとも1つの極性溶媒と少なくとも1つの芳香族溶媒とを含む、本発明1001の組成物。
[本発明1008]
前記溶媒系が、少なくとも2つの異なる溶媒を含み、かつ、該溶媒系が除去されると前記SOM1が前記SOM2より早く沈殿するように該SOM1、該SOM2、および該溶媒系が適合されており、該SOM2が極性成分で官能化されている、本発明1001の組成物。
[本発明1009]
前記溶媒系が、少なくとも2つの異なる溶媒を含み、かつ、該溶媒系が除去されると前記SOM1が前記SOM2より早く沈殿するように該SOM1、該SOM2、および該溶媒系が適合されており、該SOM2が塩成分で官能化されている、本発明1001の組成物。
[本発明1010]
前記基板が可撓性基板である、本発明1001の組成物。
[本発明1011]
前記SOM1が正孔注入材料（HIM）であり、かつ、前記SOM2が、該正孔注入材料とは異なる正孔輸送材料（HTM）である、本発明1001の組成物。
[本発明1012]
前記正孔輸送材料がアリールアミンである、本発明1011の組成物。
[本発明1013]
前記正孔輸送材料が、少なくとも1つのフッ素化基、少なくとも1つのアルキル基、および／または少なくとも1つのシロキシル基で官能化されている、本発明1011の組成物。
[本発明1014]
前記正孔輸送材料が、少なくとも1つのペルフルオロアルキル鎖もしくは少なくとも1つのセミフルオロアルキル鎖またはアリール基で官能化されている、本発明1011の組成物。
[本発明1015]
N4,N4'-ビス(4-トリデカフルオロノニルオキシフェニル)-N4,N4'-ジフェニル-[1,1'-ビフェニル]-4,4'-ジアミン；またはN4,N4'-ビス(4-ビニルフェニル)-N4,N4'-ジフェニル-[1,1'-ビフェニル]-4,4'-ジアミン；またはポリ(9,9-ジオクチル-フルオレン-co-N-(4-ブチルフェニル)-ジフェニルアミンを含む、本発明1011の組成物。
[本発明1016]
前記正孔注入材料が共役ポリマーを含む、本発明1011の組成物。
[本発明1017]
前記正孔注入材料が、少なくとも1つのアリールアミンポリマーを含む、本発明1011の組成物。
[本発明1018]
前記正孔注入材料が、少なくとも1つのポリチオフェンを含む、本発明1011の組成物。
[本発明1019]
前記正孔注入材料が、少なくとも1つの立体規則性（regioregular）ポリチオフェンを含む、本発明1011の組成物。
[本発明1020]
前記正孔注入材料が、少なくとも1つの3-置換アルコキシポリチオフェン、または3,4-置換ジアルコキシポリチオフェンを含む、本発明1011の組成物。
[本発明1021]
前記SOM1および前記SOM2がそれぞれ、少なくとも1つの第一の正孔輸送材料（HTM1）、および該第一の正孔輸送材料とは異なる少なくとも1つの第二の正孔輸送材料（HTM2）である、本発明1001の組成物。
[本発明1022]
前記HTM2が、前記HTM1より高い三重項エネルギーを有する、本発明1021の組成物。
[本発明1023]
前記HTM2が、2.7eV超の三重項エネルギーを有し、かつ、前記HTM1が、2.7eV未満または2.7eVの三重項エネルギーを有する、本発明1021の組成物。
[本発明1024]
前記HTM1がアリールアミンである、本発明1021の組成物。
[本発明1025]
前記HTM2がアリールアミンである、本発明1021の組成物。
[本発明1026]
前記HTM1が、少なくとも1つのペルフルオロアルキル鎖もしくは少なくとも1つのセミフルオロアルキル鎖またはアリール基で官能化されている、本発明1021の組成物。
[本発明1027]
前記HTM2が、
2014526144.tif 000001
からなる群より少なくとも1つの化合物を含む、本発明1021の組成物。
[本発明1028]
前記SOM1および前記SOM2がそれぞれ、少なくとも1つの発光材料（EM）および少なくとも1つの電子輸送材料（ETM）である、本発明1001の組成物。
[本発明1029]
前記ETMが、少なくとも1つのペルフルオロアルキル鎖もしくは少なくとも1つのセミフルオロアルキル鎖またはアリール基で官能化されている、本発明1028の組成物。
[本発明1030]
前記ETMが、置換されていてもよいフェナントロリンである、本発明1028の組成物。
[本発明1031]
前記ETMが、
2014526144.tif 000002
からなる群より少なくとも1つの化合物を含む、本発明1028の組成物。
[本発明1032]
少なくとも1つのベース基板と、少なくとも1つの導電性電極と、任意で、少なくとも1つの有機半導体材料を含む1つまたは複数の層とを備える少なくとも1つの基板を準備する工程；
第一の有機半導体材料（SOM1）と、該SOM1とは異なる第二の有機半導体材料（SOM2）とを含む液体インク組成物を準備する工程；
該少なくとも1つの電極上に、または任意で、少なくとも1つの有機半導体材料を含む1つまたは複数の層上に、該インク組成物をコーティングする工程；
該電極上にまたは該少なくとも1つの有機半導体材料を含む層上に少なくとも1つの膜を形成するために、該インク組成物を乾燥させる工程
を含む、方法であって、
該インクが乾燥する際に該膜が、該電極上にまたは該少なくとも1つの有機半導体材料を含む層上に配置された少なくとも1つの下部第一層と、該第一層とは異なりかつ該電極からまたは該少なくとも1つの有機半導体材料を含む層から離れて配置された、少なくとも1つの上部第二層とを含むように該インクが適合されており、該第一層が該SOM1で富化されており、かつ、該第二層が該SOM2で富化されており、
該SOM1および該SOM2がそれぞれ、（a）少なくとも1つの正孔注入材料（HIM）、および該正孔注入材料とは異なる少なくとも1つの正孔輸送材料（HTM）、（b）少なくとも1つの第一の正孔輸送材料（HTM1）、および該第一の正孔輸送材料とは異なる少なくとも1つの第二の正孔輸送材料（HTM2）、または、（c）少なくとも1つの発光材料（EM）および少なくとも1つの電子輸送材料（ETM）からなる群より選択される、方法。
[本発明1033]
前記SOM2が、SOM2-SAGにより表される構造を含み、SAGが表面活性基である、本発明1032の方法。
[本発明1034]
前記SOM2が、SOM2-SAGにより表される構造を含み、SAGが、少なくとも1つのフルオロ置換基を含む表面活性基である、本発明1032の方法。
[本発明1035]
前記SOM2が、SOM2-SAGにより表される構造を含み、SAGが、少なくとも1つのアルキル置換基を含む表面活性基である、本発明1032の方法。
[本発明1036]
前記SOM2が、SOM2-SAGにより表される構造を含み、SAGが、少なくとも1つのシロキシル置換基を含む表面活性基である、本発明1032の方法。
[本発明1037]
前記SOM2が、少なくとも1つのフッ素化アルキル基を含む、本発明1032の方法。
[本発明1038]
前記SOM2が、少なくとも2つのフッ素化アルキル基を含む、本発明1032の方法。
[本発明1039]
前記SOM2が、少なくとも1つのトリフルオロメチル基を含む、本発明1032の方法。
[本発明1040]
前記SOM2が、少なくとも1つの水素結合基を含む、本発明1032の方法。
[本発明1041]
前記SOM2が、少なくとも1つのヒドロキシル基を含む、本発明1032の方法。
[本発明1042]
前記SOM2が、少なくとも1つのイオン性または酸性基を含む、本発明1032の方法。
[本発明1043]
前記SOM2が、約2,000g/mol未満の分子量を有する、本発明1032の方法。
[本発明1044]
前記SOM2が、約1,000g/mol未満の分子量を有する、本発明1032の方法。
[本発明1045]
前記第二層が、50％超の前記SOM2を含む、本発明1032の方法。
[本発明1046]
前記第一層が、50％超の前記SOM1を含む、本発明1032の方法。
[本発明1047]
少なくとも1つの溶媒を準備する工程；
第一の有機半導体材料（SOM1）を該溶媒に供給する工程；
任意で、該SOM1とは異なる少なくとも1つのマトリックス材料を該溶媒に供給する工程；
任意で、該SOM1用の少なくとも1つのドーパントを該溶媒に供給する工程であって、該ドーパントが、任意の該マトリックス材料を実質的にドープせず、かつ、該ドーパントがイオン性化合物を含む、工程；ならびに
第二の有機半導体材料（SOM2）が該SOM1および該マトリックス材料とは異なる、該SOM2を該溶媒に供給する工程であって、該SOM2が、SOM2-SAGにより表される構造を有し、SAGが表面活性基または極性基である、工程
を含む、液体インク組成物を製造する方法であって、
該SOM1および該SOM2がそれぞれ、（a）少なくとも1つの正孔注入材料（HIM）、および少なくとも1つの正孔輸送材料（HTM）、（b）少なくとも1つの第一の正孔輸送材料（HTM1）、および少なくとも1つの第二の正孔輸送材料（HTM2）、または、（c）少なくとも1つの発光材料（EM）および少なくとも1つの電子輸送材料（ETM）からなる群より選択される、方法。
[本発明1048]
本発明1001の組成物を用いて作製される、デバイス。
[本発明1049]
本発明1011の組成物を用いて作製される、デバイス。
[本発明1050]
本発明1021の組成物を用いて作製される、デバイス。
[本発明1051]
本発明1028の組成物を用いて作製される、デバイス。
[本発明1052]
少なくとも1つの基板；
該基板上に配置された少なくとも1つの導電性電極；
任意で、該導電性電極上に配置された1つまたは複数の半導体層；
該導電性電極上にまたは任意の該半導体層上に配置された上部境界部および下部境界部を有し、少なくとも1つの第一の有機半導体材料（SOM1）と、該SOM1とは異なる少なくとも1つの第二の有機半導体材料（SOM2）とを含む、有機半導体層
を備え、
該下部境界部が、該導電性電極または該任意の半導体層と少なくとも部分的に接触している境界部であり、かつ、該上部境界部が該下部境界部から最も離れており、かつ、該SOM2が、該下部境界部よりも高い重量パーセントで該上部境界部に存在する、
デバイス。
[本発明1053]
少なくとも1つの基板を準備する工程；
少なくとも1つの第一の有機半導体材料（SOM1）と、該SOM1とは異なる少なくとも1つの第二の有機半導体材料（SOM2）とを含む液体インク組成物を準備する工程；
該基板上に該インク組成物をコーティングする工程；
該基板上に少なくとも1つの膜を形成するために、該インク組成物を乾燥させる工程
を含む、方法であって、
該インクが乾燥する際に該膜が、該基板上に配置された少なくとも1つの下部第一層と、該第一層とは異なりかつ該基板から離れて配置された少なくとも1つの上部第二層とを含むように該インクが適合されており、該第一層が、該少なくとも1つのSOM1で富化されており、かつ、該第二層が、該少なくとも1つのSOM2で富化されており、かつ
該SOM1および該SOM2がそれぞれ、（a）少なくとも1つの正孔注入材料（HIM）、および該正孔注入材料とは異なる少なくとも1つの正孔輸送材料（HTM）、（b）少なくとも1つの第一の正孔輸送材料（HTM1）、および該第一の正孔輸送材料とは異なる少なくとも1つの第二の正孔輸送材料（HTM2）、または、（c）少なくとも1つの発光材料（EM）および少なくとも1つの電子輸送材料（ETM）からなる群より選択される、方法。
[本発明1054]
前記SOM1および前記SOM2がそれぞれ、少なくとも1つの正孔注入材料（HIM）および少なくとも1つの正孔輸送材料（HTM）である、本発明1053の方法。
[本発明1055]
前記SOM1および前記SOM2がそれぞれ、少なくとも1つの第一の正孔輸送材料（HTM1）および少なくとも1つの第二の正孔輸送材料（HTM2）である、本発明1053の方法。
[本発明1056]
前記SOM1および前記SOM2がそれぞれ、少なくとも1つの発光材料（EM）および少なくとも1つの電子輸送材料（ETM）である、本発明1053の方法。